(57)【特許請求の範囲】
【請求項１】
ソケット側端子とソケット側保持金具とが配設されたソケット本体を備え、前記ソケット本体を、ヘッダ側端子とヘッダ側保持金具とが配設されたヘッダ本体に嵌合させることで、前記ソケット側端子と前記ヘッダ側端子とが接触するソケットにおいて、
前記ヘッダ側保持金具には、基部と、前記ヘッダ本体の長さ方向において前記基部から突出し、前記基部に対して前記ヘッダ本体の幅方向に相対移動自在な係止片部と、が設けられており、
前記ソケット本体に、前記基部が収容される収容部を形成するとともに、前記ソケット側保持金具に、前記係止片部を係止可能な係止部を形成したことを特徴とするソケット。
【請求項２】
前記ソケット側保持金具の係止部が、前記ソケット側端子と並設して前記ソケット本体の幅方向両側又は一側の周壁部に設けられていることを特徴とする請求項１に記載のソケット。
【請求項３】
前記係止部が、前記コネクタの幅方向に貫通形成された係止穴部であることを特徴とする請求項１または請求項２に記載のソケット。
【請求項４】
前記係止部が、前記コネクタの幅方向に段差を持った段差部であることを特徴とする請求項１または請求項２に記載のソケット。
【請求項５】
前記ソケット側保持金具は、前記コネクタの幅方向内側に向けて突出する爪部を備えており、
前記爪部の先端部が、前記係止部であることを特徴とする請求項１または請求項２に記載のソケット。
【請求項６】
前記ソケット側保持金具は、前記ソケット本体の周壁部を跨るように略逆Ｕ字状に折曲される爪部を備えており、当該爪部に前記係止部が形成されていることを特徴とする請求項１〜４のうち何れか１項に記載のソケット。
【請求項７】
前記爪部の先端部が、前記ソケット本体に埋設されていることを特徴とする請求項６に記載のソケット。
【請求項８】
請求項１〜７のうち何れか１項に記載のソケットを用いたことを特徴とするコネクタ。
【発明の詳細な説明】
【技術分野】
【０００１】
本発明は、ソケットならびに当該ソケットを用いたコネクタに関する。
【背景技術】
【０００２】
従来より、ソケット本体に複数のソケット側端子とソケット側保持金具とを配設したソケットと、ヘッダ本体に複数のヘッダ側端子とヘッダ側保持金具とを配設したヘッダと、を備えたコネクタが利用されている（例えば、特許文献１参照）。
【０００３】
この特許文献１では、ソケットとヘッダとを相互に嵌合させることで、対応する端子同士を接触導通させ、各端子が接続された回路基板の導体パターン同士を電気的に接続するようにしている。
【先行技術文献】
【特許文献】
【０００４】
【特許文献１】特開２００８−２７００９９号公報
【発明の概要】
【発明が解決しようとする課題】
【０００５】
ところで、昨今のコネクタ技術にあっては、搭載される機器の小型化に伴い、コネクタ自体の小型化、薄型化が要望されている。しかしながら、コネクタを小型化、薄型化させようとすると、ソケットとヘッダの嵌合時の感触が悪化したり、ソケットとヘッダの嵌合が安易に解除されてしまったりする恐れがあった。これはコネクタの小型化、薄型化に伴い、ソケット側端子とヘッダ側端子の数が少なくなったり、これら端子同士の接圧が低くなったりすることで、ソケットとヘッダの嵌合力が弱まってしまうためである。
【０００６】
そこで、本発明は、小型のコネクタにあっても嵌合時の感触が良好であり、且つソケットとヘッダの嵌合をより外れ難くすることのできるソケットならびに当該ソケットを用いたコネクタを得ることを目的とする。
【課題を解決するための手段】
【０００７】
上記目的を達成するために、本発明の第１の特徴は、ソケット側端子とソケット側保持金具とが配設されたソケット本体を備え、前記ソケット本体を、ヘッダ側端子とヘッダ側保持金具とが配設されたヘッダ本体に嵌合させることで、前記ソケット側端子と前記ヘッダ側端子とが接触するソケットにおいて、前記ヘッダ側保持金具には、基部と、前記ヘッダ本体の長さ方向において前記基部から突出し、前記基部に対して前記ヘッダ本体の幅方向に相対移動自在な係止片部と、が設けられており、前記ソケット本体に、前記基部が収容される収容部を形成するとともに、前記ソケット側保持金具に、前記係止片部を係止可能な係止部を形成したことを要旨とする。
【０００８】
第２の特徴は、前記ソケット側保持金具の係止部が、前記ソケット側端子と並設して前記ソケット本体の幅方向両側又は一側の周壁部に設けられていることを要旨とする。
【０００９】
第３の特徴は、前記係止部が、前記コネクタの幅方向に貫通形成された係止穴部であることを要旨とする。
【００１０】
第４の特徴は、前記係止部が、前記コネクタの幅方向に段差を持った段差部であることを要旨とする。
【００１１】
第５の特徴は、前記ソケット側保持金具は、前記コネクタの幅方向内側に向けて突出する爪部を備えており、前記爪部の先端部が、前記係止部であることを要旨とする。
【００１２】
第６の特徴は、前記ソケット側保持金具は、前記ソケット本体の周壁部を跨るように略逆Ｕ字状に折曲される爪部を備えており、当該爪部に前記係止部が形成されていることを要旨とする。
【００１３】
第７の特徴は、前記爪部の先端部が、前記ソケット本体に埋設されていることを要旨とする。
【００１４】
第８の特徴は、前記ソケットを用いたコネクタであることを要旨とする。
【発明の効果】
【００１５】
本発明によれば、ヘッダ側保持金具には、そのヘッダ側保持金具の基部に対してコネクタの幅方向に相対移動自在な係止片部が設けられており、ソケット側保持金具に、その係止片部を係止可能な係止部を形成している。そのため、小型なコネクタにあってもソケットとヘッダの嵌合をより外れ難くすることのできるソケットならびにコネクタを得ることができる。
【図面の簡単な説明】
【００１６】
【図１】本発明の一実施形態にかかるコネクタのソケットを示す斜視図である。
【図２】本発明の一実施形態にかかるコネクタのヘッダを示す斜視図である。
【図３】本発明の一実施形態にかかるコネクタの断面図である。
【図４】図１に示すソケットのソケット側保持金具および片側の長辺のソケット側端子を外した分解斜視図である。
【図５】図２に示すヘッダのヘッダ側保持金具を外した分解斜視図である。
【図６】本発明の一実施形態にかかるコネクタの要部を示した平面図である。
【図７】図６のＡ−Ａ断面図である。
【図８】本発明の一実施形態にかかるソケット側保持金具の第１変形例を示した図であり、（ａ）は斜視図、（ｂ）はソケットへの取付状態における図７と同位置の断面図である。
【図９】本発明の一実施形態にかかるソケット側保持金具の第２変形例を示した斜視図である。
【図１０】本発明の一実施形態にかかるソケット側保持金具の第３変形例を示したソケットへの取付状態における図７と同位置の断面図である。
【図１１】本発明の一実施形態にかかるソケット側保持金具の第４変形例を示したソケットへの取付状態における図７と同位置の断面図である。
【図１２】本発明の一実施形態にかかるソケット側保持金具の第５変形例を示したソケットへの取付状態における図７と同位置の断面図である。
【図１３】本発明の第５変形例にかかるコネクタのソケットを示す斜視図である。
【発明を実施するための形態】
【００１７】
以下、本発明の実施形態について図面を参照しつつ詳細に説明する。
【００１８】
図１〜図７は、本発明にかかるコネクタ１の一実施形態を示した図であり、本実施形態のコネクタ１は、図３に示すように、相互に嵌合されるソケット１０とヘッダ２０とを備えている。なお、本実施形態を説明するにあたって、図中Ｘ方向をコネクタ１の幅方向、Ｙ方向を長手方向、Ｚ方向を上下方向として説明するものとする。
【００１９】
ソケット１０は、図１に示すように、絶縁性の合成樹脂によって平面視で全体的に矩形（長方形）状に型成形されたソケットハウジング（ソケット本体）１１を備えている。このソケットハウジング１１には、複数のコンタクト（ソケット側端子）１２が、対向した長辺に沿って長手方向Ｙに所定ピッチＰをもって配設されている。また、ソケットハウジング１１の長手方向Ｙ両端部には、ソケット側保持金具３０が配設されている。
【００２０】
ソケットハウジング１１は、その周縁部に沿って略矩形環状に連続的に形成される周壁部１３と、中央部において周壁部１３から所定間隔をあけて形成される略矩形状の島部１４とを備えている。そして、これら周壁部１３と島部１４との間にヘッダ２０を嵌合するための嵌合溝部１５が形成されている。
【００２１】
コンタクト１２は、図３に示すように、所定厚さを持った帯状の金属材を湾曲成形することにより形成されている。コンタクト１２の先端部１２ａには、第１屈曲部１２Ｂ１から上方に屈曲した先端側を内方に屈曲させた第２屈曲部１２Ｂ２が形成されており、基端部１２ｂには、逆Ｕ字状に屈曲させた第３屈曲部１２Ｂ３が形成されている。そして、第３屈曲部１２Ｂ３のさらに基端側が平坦な接続端子部１２Ｔとなっている。
【００２２】
本実施形態では、図１および図３に示すように、コンタクト１２がソケットハウジング１１に対して、第２屈曲部１２Ｂ２が嵌合溝部１５内に突出するように取り付けられている。このとき、周壁部１３の内部に形成された凹部１３Ｈ１に第３屈曲部１２Ｂ３が嵌合されるとともに、島部１４の下面に形成された凹部１３Ｈ２に第１屈曲部１２Ｂ１が嵌合されている。この状態で、コンタクト１２の接続端子部１２Ｔが周壁部１３の根元側（下縁）から外方に突出し、これらの接続端子部１２Ｔが、図示せぬ第１の回路基板の導体パターン（端子）に半田付けにより接続されるようになっている。
【００２３】
一方、ヘッダ２０は、図２に示すように、絶縁性の合成樹脂によって全体的に矩形（長方形）状に型成形されたヘッダハウジング（ヘッダ本体）２１を備えている。このヘッダハウジング２１には、複数のポスト（ヘッダ側端子）２２が、対向した長辺に沿って長手方向Ｙにソケットコンタクト１２のピッチＰと等しいピッチＰをもって配設されている。また、ヘッダハウジング２１の長手方向Ｙ両端部には、ヘッダ側保持金具４０が配設されている。
【００２４】
ヘッダハウジング２１は、その周縁部に沿って略矩形環状に連続的に形成される周壁部２３を備えており、この周壁部２３の内方に凹部２４（図３参照）が形成されている。
【００２５】
ポスト２２は、図３に示すように、ソケットコンタクト１２と同様に所定厚さを持った帯状の金属材を湾曲成形することにより形成されている。ポスト２２の先端部２２ａには、第４屈曲部２２Ｂ１から上方に立ち上げた先端側を後退する方向に逆Ｕ字状に屈曲させて第５屈曲部２２Ｂ２が形成される一方、基端部２２ｂには、略平坦な接続端子部２２Ｔが形成されている。
【００２６】
そして、ポスト２２は、第５屈曲部２２Ｂ２を周壁部２３の先端部（図３の下側）に跨ぐように配置させるとともに、基端部２２ｂを周壁部２３の根元部（図３の上側）に貫通させるようにした状態で、ヘッダハウジング２１にインサート成形される。この状態で、ヘッダコンタクト２２の接続端子部２２Ｔが周壁部２３の下縁から外方に突出し、これらの接続端子部２２Ｔが、図示せぬ第２の回路基板Ｂ２の導体パターン（端子）に半田付けにより接続されるようになっている。
【００２７】
図３に示すように、ヘッダハウジング２１の周壁部２３をソケットハウジング１１の嵌合溝部１５に挿入して嵌合することで、ヘッダ２０がソケット１０に嵌合される。このとき、コンタクト１２の第３屈曲部１２Ｂ３の先端部１２ａ側の外側面Ｆ１が、ポスト２２の第５屈曲部２２Ｂ２の先端部２２ａ側の外側面Ｆ２に弾発的に接触する。そして、コンタクト１２の第２屈曲部１２Ｂ２の外側面Ｆ３が、ポスト２２の第４屈曲部２２Ｂ１と第５屈曲部２２Ｂ２との間の平坦な外側面Ｆ４に弾発的に接触する。その結果、コンタクト１２とポスト２２とが電気的に接続され、ひいては、第１の回路基板の導体パターンと第２の回路基板の導体パターンとが相互に電気的に接続されることとなる。
【００２８】
また、本実施形態のコンタクト１２とポスト２２とには、互いに相手側の端子に係合してソケット１０とヘッダ２０の結合状態を保持するロック機構５０が設けられている。
【００２９】
本実施形態のロック機構５０は、ポスト２２の外側面Ｆ２に形成される第１の段差部５１と、コンタクト１２の外側面Ｆ１に形成される第２の段差部５２とによって構成されている。
【００３０】
第１の段差部５１は、ポスト２２の外側面Ｆ２のコンタクト１２接触面を、傾斜した段差面５１ａを介して下方側（図３中、上方側）を薄肉化することにより形成されている。一方、第２の段差部５２は、コンタクト１２の外側面Ｆ１のポスト２２接触面を、傾斜した段差面５２ａを介して下方側を薄肉化することにより形成されている。
【００３１】
したがって、ヘッダ２０をソケット１０に嵌合させる際には、ポスト２２の外側面Ｆ２、Ｆ４が、コンタクト１２の外側面Ｆ１、Ｆ３を弾性力に抗して押し開きつつ挿入され、第１の段差部５１が第２の段差部５２を乗り越えることにより、嵌着される。そして、第１の段差部５１の段差面５１ａと第２の段差部５２の段差面５２ａとが互いに係合することで、ソケット１０とヘッダ２０とをロックしてこれらの結合状態を保持することができる。
【００３２】
一方、ソケット１０とヘッダ２０とを離脱させる際には、これら両者を引き剥がし方向に抜去する。これより、第１の段差部５１の段差面５１ａと第２の段差部５２の段差面５２ａとが相対摺動しつつ、コンタクト１２の外側面Ｆ１、Ｆ３を押し開いて第１の段差部５１と第２の段差部５２との係合が解除される。この状態でソケット１０とヘッダ２０とを分離させることができる。
【００３３】
図４は、ソケット側保持金具３０および片側のコンタクト１２を外したソケット１０の分解斜視図、図５は、ヘッダ側保持金具４０を外したヘッダ２０の分解斜視図である。ソケット側保持金具３０およびヘッダ側保持金具４０は、ソケットハウジング１１およびヘッダハウジング２１の強度を高めるとともに、それぞれが有する取付片部３３ａ、４１ａを上述した回路基板に取付固定するために用いられる。
【００３４】
そして、ソケット側保持金具３０の取付片部３３ａを第１の回路基板に半田付けすることにより、コンタクト１２の接続端子部１２Ｔが第１の回路基板に半田付けされたことと相俟って、ソケット１０が第１の回路基板に対して強固に結合されるようにしている。
【００３５】
また、ヘッダ側保持金具４０の取付片部４１ａを第２の回路基板に半田付けすることにより、ポスト２２の接続端子部２２Ｔが第２の回路基板に半田付けされたことと相俟って、ヘッダ２０が第２の回路基板に対して強固に結合されるようにしている。
【００３６】
このような構成によれば、各回路基板に強固に結合されたソケット１０とヘッダ２０とを相互に嵌合させることができ、これによりコンタクト１２とポスト２２とが接触導通して、各回路基板の導体パターン同士を電気的に接続することができる。そして、コンタクト１２とポスト２２とには上述したようにロック機構５０が設けられているので、これらソケット１０とヘッダ２０との結合状態を保持することができる。
【００３７】
ところが、昨今のコネクタ技術にあっては、小型化、薄型化が要望されている。よって、本実施形態のコネクタ１のようにコンタクト１２とポスト２２との数を減少させなければならない事がある。これにより、ソケット１０とヘッダ２０の嵌合力が弱まってしまい、例えば落下の衝撃などといった事でヘッダ１０とソケット２０の嵌合が安易に解除されてしまう恐れがあった。
【００３８】
そこで、本実施形態では、ヘッダ側保持金具４０に、その連結片部（基部）４１に対してコネクタ１の幅方向Ｘに相対移動自在な係止片部４２を設ける一方で、ソケット側保持金具３０に、係止片部４２を係止可能な係止穴部（係止部）３７を形成している。
【００３９】
図４に示すように、ソケット側保持金具３０は所定厚さの金属板をプレス成形することにより形成され、コネクタ１の幅方向Ｘに延在する側板部３１と、側板部３１の両端部下側を長手方向Ｙ中央側に向かって略直角に折曲した底板部３３とを備えている。そして、底板部３３の両端部をコネクタ１の幅方向Ｘ両側から外側に突出させることで、取付片部３３ａが形成されている。
【００４０】
また、側板部３１は、その側板部３１の幅方向Ｘ両端部をコネクタ１の長手方向Ｙ中央側に向かって略直角に折曲した延設部３２を備えている。そして、この延設部３２の延在方向の終着部に、ソケットハウジング１１の周壁部１３を跨るように略逆Ｕ字状に折曲される爪部３５が設けられており、この爪部３５の先端部３５ａ側に係止穴部３７が形成されている。
【００４１】
このようなソケット側保持金具３０は、ソケットハウジング１１の長手方向Ｙ両端部に形成された係合溝部１７に装着されて使用される。具体的には、本実施形態では、ソケットハウジング１１にソケット側保持金具３０が、例えばインサート成形などによって一体成形されるようになっている。なお、係合溝部１７は、周壁部１３の外壁面１３ａとソケット側保持金具３０の外壁面３０ａとが略面一の状態となるような掘り深さとなっている。換言すると、周壁部１３の外壁面１３ａにソケット側保持金具３０の外壁面３０ａが略面一の状態で露出するように、ソケットハウジング１１にソケット側保持金具３０が一体成形されている。また、このとき、ソケットハウジング１１の爪部３５と対応する位置には、嵌合溝部１５に凹部１５ａが二段状に凹設されていて、その凹部１５ａに爪部３５の先端部３５ａが嵌め込まれた状態で一体成形されるようになっている。
【００４２】
このように、本実施形態ではソケット側保持金具３０の係止穴部３７が、コンタクト１２と並設してコネクタ１の幅方向Ｘと長手方向Ｙとにそれぞれ一対ずつ、合計四ヶ所設けられている。
【００４３】
一方、ヘッダ側保持金具４０も、ソケット側保持金具３０と同様にして所定厚さの金属板をプレス成形することにより形成されている。図５に示すように、本実施形態のヘッダ側保持金具４０は、連結片部（基部）４１と、この連結片部４１から略逆Ｖ字状（より詳細には略八の字状）となるように突出する第１の係止片部４２Ａおよび第２の係止片部４２Ｂを備えている。
【００４４】
連結片部４１は、ヘッダハウジング２１への取付状態で上下方向Ｚの上側となる位置に配置される取付片部４１ａと、幅方向Ｘに伸びるこの取付片部４１ａから下方に向けて二股状に分岐する一対の分岐片部４１ｂとを備えている。そして、取付片部４１ａが上述した第２の回路基板に取付固定するために用いられる一方で、一対の分岐片部４１ｂにはそれぞれの対向面に段差状の突起４１ｃが設けられるようになっている。
【００４５】
そして、このようなヘッダ側保持金具４０は、ヘッダハウジング２１の長手方向Ｙ両端部に形成された係合溝部２７に嵌着されて使用される。このとき、図５では図示省略したが係合溝部２７の上述した突起４１ｃと対応する中央内壁部２７ａには一対の段差が形成されている。そして、この段差をヘッダ側保持金具４０の突起４１ｃが乗り越えるようにして押し込むことにより、ヘッダ側保持金具４０が係合溝部２７に嵌着されるのである。
【００４６】
なお、係合溝部２７は、ヘッダ側保持金具４０と略同様の形状で凹設されており、ヘッダ側保持金具４０を嵌着させた状態で、取付片部４１ａがポスト２２の接続端子部２２Ｔと略面一の状態となるような掘り深さとなっている。
【００４７】
図６は、ソケット１０とヘッダ２０の嵌合状態におけるコネクタ１の要部を示す平面図、図７は、図６のＡ−Ａ断面図である。図６および図７に示すように、本実施形態では、ヘッダ２０をソケット１０に嵌合させることで、ヘッダ側保持金具４０の係止片部４２がソケット側保持金具３０の係止穴部３７に挿入されるようになっている。
【００４８】
すなわち、係止片部４２の先端部４２ａがソケット側保持金具３０の爪部３５の外壁内側面３５ｃよりも幅方向Ｘ外側に若干突出するような寸法となっている。そして、係止片部４２の先端部４２ａを摺動させて爪部３５の外壁内側面３５ｃに押し狭められつつ係止穴部３７まで移動させる。こうすることで、係止片部４２の先端部４２ａが復元力によって係止穴部３７で元の状態に復帰し、係止片部４２の先端部４２ａが係止穴部３７に挿着されるのである。
【００４９】
このように、本実施形態のコネクタ１によれば、係止片部４２と係止穴部３７とによって、ソケット１０およびヘッダ２０が抜去方向（上下方向Ｚにおいて互いに離間する方向）に移動した際に、係止片部４２と係止穴部３７とを係止させることができる。よって、ソケット１０とヘッダ２０の嵌合力を高めることができ、本実施形態のようなコンタクト１２とポスト２２とが少ないコネクタ１にあっても、ソケット１０とヘッダ２０の嵌合をより外れ難くすることができるのである。
【００５０】
以上により、本実施形態では、ヘッダ側保持金具４０にその連結片部（基部）４１に対してコネクタ１の幅方向Ｘに相対移動自在な係止片部４２が設けられており、ソケット側保持金具３０に、その係止片部４２を係止可能な係止穴部（係止部）３７を形成している。そのため、ソケット１０とヘッダ２０とを嵌合させる際には、係止片部４２を係止穴部（係止部）３７に嵌着させることができるので、嵌合時の感触を良好にできる。また、ソケット１０とヘッダ２０とが抜去方向へ移動しようとした際には、ヘッダ側保持金具４０が係止穴部（係止部）３７に係止されるので、これらソケット１０とヘッダ２０の嵌合をより外れ難くすることができる。
【００５１】
特に、本実施形態では、係止片部４２がコネクタ１の幅方向Ｘに伸縮可能（弾性変形可能）に形成されているため、係止片部４２の復元力を利用して嵌合時の感触をより一層良好にできる。
【００５２】
また、本実施形態では、係止部がコネクタ１の幅方向Ｘに貫通形成された係止穴部３７として形成されている。そのため、ヘッダ側保持金具４０の係止片部４２をソケット側保持金具３０の係止穴部３７に挿着させることができ、ソケット１０とヘッダ２０の嵌合をより一層外れ難くすることができる。
【００５３】
また、本実施形態では、ソケット側保持金具３０の係止穴部（係止部）３７が、コンタクト１２と並設して設けられている。そのため、コンタクト１２の近傍のスペースを有効利用して係止穴部（係止部）３７をソケットハウジング１１の四隅に配置することができるようになり、その係止穴部（係止部）３７に係止される係止片部４２と相俟って、ソケット１０とヘッダ２０の嵌合をより外れ難くできる。さらに、本実施形態では、係止穴部（係止部）３７が、コンタクト１２と並設してソケットハウジング（ソケット本体）１１の幅方向Ｘ両側の周壁部１３に設けられている。そのため、例えば、特開２０１０-２２５４００号公報に開示されている構成、具体的には、係止穴部（係止部）３７が、ソケットハウジング１１の長手方向Ｙ両側の周壁部１３に設けられる構成と比べて、幅方向Ｘの一方側を持ち上げる等によって抜去力が斜め方向に作用した場合に、ソケット１０とヘッダ２０とをより外れ難くすることができるという利点がある。すなわち、上記構成では、抜去力が斜め方向に作用した場合に、まずは係止穴部（係止部）３７と係止片部４２との係合が解除され、次にコンタクト１２とポスト２２とのロック機構５０の係合が解除されるという二段階の解除タイミングとなってしまう。
【００５４】
これに対し、本実施形態では、係止穴部（係止部）３７が幅方向Ｘ両側の周壁部１３に設けられているため、係止穴部（係止部）３７と係止片部（４２）の解除タイミングと、ロック機構５０の解除タイミングとを同じにできる。よって、ソケット１０とヘッダ２０の嵌合をより外れ難くすることができる。なお、本実施形態では、係止穴部（係止部）３７が、ソケットハウジング１１の長手方向Ｙ両側の周壁部１３に設けられていたが、一側の周壁部１３のみに設けられる構成であってもよい。
【００５５】
さらにまた、本実施形態では、ソケット側保持金具３０は、ソケットハウジング１１の周壁部１３を跨るように略逆Ｕ字状に折曲される爪部３５を備えており、この爪部３５に係止穴部（係止部）３７が形成されている。そのため、ソケット側保持金具３０をソケットハウジング１１に取り付ける際に、略逆Ｕ字状の爪部３５をソケットハウジング１１の周壁部１３に上側から嵌着させることで、剛性を高めてこれらを強固に取り付けることができるようになる。また、爪部３５を備えることで、係止片部４２と対向するように係止穴部（係止部）３７を容易に形成することができる。
【００５６】
また、本実施形態では、爪部３５の先端部３５ａが、ソケットハウジング１１に埋設されている。そのため、ソケット側保持金具３０をソケットハウジング１１に対してさらに強固に取り付けることができるようになり、例えば落下の衝撃などといった外力が入力された時のソケット側保持金具３０の外れをより一層抑制することができるようになる。
【００５７】
さらにまた、本実施形態では、ヘッダ側保持金具４０が連結片部（基部）４１から略逆Ｖ字状突出する第１の係止片部４２Ａおよび第２の係止片部４２Ｂを備えている。そのため、コネクタ１の幅方向Ｘの両側を第１の係止片部４２Ａと第２の係止片部４２Ｂとによって係止することができるようになり、ソケット１０とヘッダ２０の嵌合をより外れ難くできる。
【００５８】
特に、本実施形態では、第１の係止片部４２Ａと第２の係止片部４２Ｂとが略八の字状に形成されている。すなわち、第１および第２の係止片部４２Ａ、４２Ｂの先端部４２ａが、基端部４２ｂの傾斜から幅方向Ｘ外側に折れ曲がってコネクタ１の幅方向Ｘと平行に折曲形成されている。これにより、ソケット１０とヘッダ２０とが抜去方向へ移動しようとした際に、先端部４２ａが係止穴部（係止部）３７に深く（係止幅が長く）係止されるようになるので、ソケット１０とヘッダ２０の嵌合がより外れ難くなる。また、第１および第２の係止片部４２Ａ、４２Ｂの先端部４２ａが係止穴部（係止部）３７に挿入された際には、復元力により勢いよく元の状態へ戻ろうとするので嵌合時の感触となるクリック感もより一層向上する。
【００５９】
なお、本実施形態では、ヘッダ側保持金具４０の第１の係止片部４２Ａと第２の係止片部４２Ｂとが略逆Ｖ字状に形成されたものを例示したが、これに限定されず、種々に変更可能である。例えばヘッダ側保持金具４０が連結片部（基部）４１と第１の係止片部４２Ａと第２の係止片部４２Ｂとで略逆Ｕ字状の外形を呈するように形成されたものを用いるようにしてもよい。この場合、ヘッダハウジング２１への取付状態で一対の係止片部４２Ａ、４２Ｂの内側に配置されるヘッダハウジング２１の成形部を大きく確保することができるため、ヘッダハウジング２１の強度を高めることができるという利点がある。
【００６０】
すなわち、第１の係止片部４２Ａと第２の係止片部４２Ｂとが略Ｖ字状に形成された場合には、これに伴い一対の係止片部４２Ａ、４２Ｂの内側に配置されるヘッダハウジング２１の成形部を、連結片部４１側に向けて徐々に縮径する台形状とする必要がある。これに対し、ヘッダ側保持金具４０を略逆Ｕ字状とすれば、係止片部４２Ａ、４２Ｂの内側に配置される前記成形部を、縮径させることなく略矩形状に広くとることができる。したがって、ヘッダハウジング２１の強度を高めることができ、ヘッダ側保持金具４０を繰り返しヘッダハウジング２１に装着させたとしても、ヘッダハウジング２１をより破損し難くすることができる。
【００６１】
また、ヘッダ側保持金具４０を係止片部４２と連結片部（基部）４１とで略Ｌ字状又は略Ｔ字状の外形を呈するように形成して、１つの係止片部４２を有したヘッダ側保持金具４０を、１つ又は複数使用するようにしてもよい。この場合、ソケットハウジング１１の四隅に配置されたソケット側保持金具３０の係止穴部（係止部）３７に対応させて、４つのヘッダ側保持金具４０を用いるのが好適である。かかる構成では、ヘッダ側保持金具４０の形状をシンプルにできるため、金属加工が容易になるとともに、金属加工時の廃棄材を減少させることができるという利点がある。
【００６２】
さらにまた、ヘッダ側保持金具４０の係止片部４２（４２Ａ、４２Ｂ）を、略Ｓ字状に折曲形成するようにしてもよい。かかる構成では、係止片部４２のバネ長を長くとることができ、係止片部４２の先端部４２ａを爪部３５の外壁内側面３５ｃに摺動させた際に、係止片部４２の撓み量を各Ｒ部分によって分散させることができるようになる。よって、係止片部４２のへたり量を少なくできるという利点がある。
【００６３】
次に、図８〜図１２を参照して、本実施形態にかかるソケット側保持金具３０の変形例について説明する。
【００６４】
図８（ａ）、（ｂ）は、第１変形例にかかるソケット側保持金具３０Ａを示した図である。本変形例が上記実施形態と主に異なる点は、係止穴部（係止部）３７が形成された爪部３５を、ソケット側保持金具３０Ａの底板部３３側から立ち上げたことにある。
【００６５】
具体的には、本変形例の底板部３３は、図示せぬ第１の回路基板に半田付けされる取付片部３３ａに加えて、底板部３３をコネクタ１の長手方向Ｙ中央側に向かって延設した延長部３３ｂを備えている。そして、この延長部３３ｂの延在方向の終着部に、ソケットハウジング１１の周壁部１３を跨るように略逆Ｕ字状に立ち上がる爪部３５を形成し、この爪部３５の基端部３５ｂ側に係止穴部（係止部）３７を設けている。
【００６６】
以上の構成の本変形例にあっても、上記実施形態と同様の作用効果を得ることができる。すなわち、ソケット１０とヘッダ２０とを嵌合させる際には、係止片部４２の復元力を利用して係止片部４２を係止穴部（係止部）３７に嵌着させることができるので、嵌合時の感触を良好にできる。また、ソケット１０とヘッダ２０とが抜去方向へ移動しようとした際には、係止片部４２と係止穴部（係止部）３７とが係止されるので、これらソケット１０とヘッダ２０の嵌合をより外れ難くすることができる。
【００６７】
図９は、第２変形例にかかるソケット側保持金具３０Ｂを示した斜視図である。本変形例が上記実施形態と主に異なる点は、ソケット側保持金具３０Ｂの延設部３２に爪部を設けることなく、係止穴部（係止部）３７を延設部３２の先端部３２ａ側に直接形成したことにある。
【００６８】
具体的には、本変形例の側板部３１は、上記実施形態と同様に側板部３１の幅方向Ｘ両端部をコネクタ１の長手方向Ｙ中央側に向かって略直角に折曲した延設部３２を備えているが、その側板部３１を上記実施形態よりも幅方向Ｘに短く形成してある。これにより、延設部３２をソケットハウジング１１の周壁部１３における内壁面側に露出して配置できるようにし、この状態で延設部３２をソケットハウジング１１の長手方向Ｙ両端部の周壁部１３内を貫通させつつ一体成形するようにしている。
【００６９】
以上の構成の本変形例にあっても、上記実施形態および第１変形例と同様の作用効果を得ることができる。
【００７０】
また、本変形例では、上記実施形態および第１変形例のように爪部をプレス成形する必要がなくなるので、ソケット側保持金具３０Ｂの成形をより容易に行うことができるという利点がある。
【００７１】
図１０は、第３変形例にかかるソケット側保持金具３０を示した断面図である。本変形例が上記実施形態と主に異なる点は、ソケット側保持金具３０の爪部３５に、係止部としての段差部３７Ａを形成したことにある。
【００７２】
すなわち、本変形例は、上記実施形態の爪部３５に幅方向Ｘに貫通する貫通穴として形成された係止穴部３７に代えて、爪部３５を貫通することなく幅方向Ｘに段差を持った段差部３７Ａを用いたものである。なお、本変形例の段差部３７Ａは、爪部３５の一部を幅方向Ｘに凹設させた係止凹部として形成されている。
【００７３】
以上の構成の本変形例にあっても、上記実施形態および第１変形例と同様の作用効果を得ることができる。
【００７４】
また、本変形例では、係止部として爪部３５を幅方向Ｘに貫通させることなく段差状に形成された段差部３７Ａを用いている。そのため、ソケット側保持金具３０をソケットハウジング１１に一体成形する際に、ソケットハウジング１１を成す樹脂が段差部（係止部）３７Ａ内に漏れ出てしまうのを抑制でき、バリ等の発生を防止することができるという利点がある。
【００７５】
なお、本変形例では、本変形例の特徴部分である段差部３７Ａを上記実施形態のソケット側保持金具３０に適用した場合を例示したが、これに限らず、上記第１および第２変形例にかかるソケット側保持金具３０Ａ、３０Ｂにあっても適用可能である。
【００７６】
図１１は、第４変形例にかかるソケット側保持金具３０を示した断面図である。本変形例が上記実施形態と主に異なる点は、上記第３変形例と同様にソケット側保持金具３０の爪部３５に、係止部としての段差部３７Ｂを形成したことにある。但し、本変形例では、段差部３７Ｂとして上記第３変形例とは逆に爪部３５の一部を凸設させた係止凸部を用いている。
【００７７】
以上の構成の本変形例にあっても、上記実施形態および第１変形例と同様の作用効果を得ることができる。
【００７８】
また、本変形例では、段差部３７Ｂとして爪部３５の一部を凸設させた係止凸部を用いている。そのため、段差部３７Ｂの突出量を調整することで、係止片部４２の係止量（引っ掛かり量）を自由に調整することができるようになるため、ソケット１０とヘッダ２０の抜去力や、これらの嵌合時の感触となるクリック感を調節し易くなるという利点がある。
【００７９】
なお、本変形例にあっても、本変形例の特徴部分である段差部３７Ｂを上記実施形態のソケット側保持金具３０に適用した場合を例示したが、これに限らず、上記第１および第２変形例にかかるソケット側保持金具３０Ａ、３０Ｂにあっても適用可能である。
【００８０】
図１２および図１３は、第５変形例にかかるソケット側保持金具３０Ｃを示した断面図である。本変形例が上記実施形態と主に異なる点は、ソケット側保持金具３０Ｃがコネクタ１の幅方向Ｙ内側に向けて突出する爪部３５を備えており、その爪部３５の先端部３７Ｃが、係止部として用いられたことにある。
【００８１】
本変形例では、ソケット側保持金具３０Ｃの爪部３５が略Ｌ字状に形成されており、その爪部３５の先端部３７Ｃが、ソケットハウジング１１の内壁面側に突出して配置されている。
【００８２】
以上の構成の本変形例にあっても、上記実施形態および第１変形例と同様の作用効果を得ることができる。
【００８３】
また、本変形例では、ソケット側保持金具３０Ｃがコネクタ１の幅方向Ｙ内側に向けて突出する爪部３５を備えており、その爪部３５の先端部３７Ｃが、係止部として用いられている。そのため、上記第４変形例と同様の作用効果を更に得ることができるとともに、ソケット側保持金具３０Ｃの加工を容易に行うことができるという利点がある。
【００８４】
以上、本発明の好適な実施形態について説明したが、本発明は上記実施形態には限定されず、種々の変形が可能である。
【００８５】
例えば、上記実施形態では、ソケットやヘッダの形状が矩形状のものを例示したが、それ以外の形状であっても本発明を適用することができる。
【００８６】
また、上記実施形態では、ヘッダ側保持金具の係止片部がコネクタの幅方向に伸縮可能（弾性変形可能）なものを例示したが、これに限定されず、例えば係止片部が基部（本実施形態では連結片部）に対して幅方向に突没自在に保持されているものであってもよい。
【００８７】
また、コンタクトやポスト、その他細部のスペック（形状、大きさ、レイアウト等）も適宜に変更可能である。
【符号の説明】
【００８８】
１      コネクタ
１０    ソケット
１１    ソケットハウジング（ソケット本体）
１２    ソケット側端子（コンタクト）
２０    ヘッダ
２１    ヘッダハウジング（ヘッダ本体）
２２    ヘッダ側端子（ポスト）
３０、３０Ａ、３０Ｂ、３０Ｃ  ソケット側保持金具
３７    係止穴部（係止部）
３７Ａ  段差部（係止部）
３７Ｂ  段差部（係止部）
３７Ｃ  先端部（係止部）
４０    ヘッダ側保持金具
４２    係止片部
Ｘ      コネクタの幅方向
Ｙ      コネクタの長手方向
Ｚ      コネクタの上下方向
【図１】
0005935040.tif 000002
【図２】
0005935040.tif 000003
【図３】
0005935040.tif 000004
【図４】
0005935040.tif 000005
【図５】
0005935040.tif 000006
【図６】
0005935040.tif 000007
【図７】
0005935040.tif 000008
【図８】
0005935040.tif 000009
【図９】
0005935040.tif 000010
【図１０】
0005935040.tif 000011
【図１１】
0005935040.tif 000012
【図１２】
0005935040.tif 000013
【図１３】
0005935040.tif 000014